(57)【要約】【課題】低公害化を実現することができる環境問題に配慮したインク収容管を用いた筆記具用インク収容部材およびこれを用いた筆記具を提供すること。【解決手段】紙を基材として紙基材に他の素材を積層した複合材により、インク収容管５を構成する。インク収容管５の一端部を、筆記部材２もしくは筆記部材を支持する中継部材３に形成された接続部３ａに結合させることで、筆記具用インク収容部材１が構成される。好ましい一つの形態においては、インク収容管５との接続部３ａには、外周面に沿って形成された雄ねじ１１ａによる係止手段１１が備えられ、インク収容管５が前記係止手段１１によって、筆記部材２を支持する中継部材３に結合される。【選択図】図２
2020172044.tif 000002
【特許請求の範囲】
【請求項１】
紙を基材としてインク収容管を構成し、
前記インク収容管の一端部を、筆記部材もしくは筆記部材を支持する中継部材に形成された接続部に結合させたことを特徴とする筆記具用インク収容部材。
【請求項２】
前記筆記部材もしくは筆記部材を支持する中継部材における前記インク収容管との接続部には、
外周面に沿って形成された雄ねじによる第１係止手段が備えられ、
前記インク収容管が前記第１係止手段によって筆記部材もしくは中継部材に結合されていることを特徴とする請求項１に記載の筆記具用インク収容部材。
【請求項３】
前記筆記部材もしくは筆記部材を支持する中継部材における前記インク収容管との接続部には、
筆記部材の先端部側に向かって径を拡大するテーパ面と、前記テーパ面に続いて径を鋭角に縮小する立ち下がり部とを有する環状の係止部を、軸方向に沿って複数条形成した第２係止手段が備えられ、
前記インク収容管が前記第２係止手段によって筆記部材もしくは中継部材に結合されていることを特徴とする請求項１に記載の筆記具用インク収容部材。
【請求項４】
前記筆記部材もしくは筆記部材を支持する中継部材における前記インク収容管との接続部には、
筆記部材の先端部側に向かって除々に立ち上がるテーパ面と、前記テーパ面に続いて鋭角に立ち下がる立ち下がり部とを有する多数の突起体を、周方向および軸方向に沿って互いに不連続に形成してなる第３係止手段が備えられ、
前記インク収容管が前記第３係止手段によって筆記部材もしくは中継部材に結合されていることを特徴とする請求項１に記載の筆記具用インク収容部材。
【請求項５】
前記筆記部材もしくは筆記部材を支持する中継部材における前記インク収容管との接続部には、当該接続部におけるインク収容管の外周面に沿って、リング状の補強部材が嵌め込まれていることを特徴とする請求項１ないし４のいずれか１項に記載の筆記具用インク収容部材。
【請求項６】
前記筆記部材もしくは筆記部材を支持する中継部材における前記インク収容管との接続部には、当該接続部におけるインク収容管の外周面に沿って、軸に直交する方向の断面がＣ字状に成形された補強部材が嵌め込まれていることを特徴とする請求項１ないし４のいずれか１項に記載の筆記具用インク収容部材。
【請求項７】
前記筆記部材もしくは筆記部材を支持する中継部材における前記インク収容管との接続部には、
筆記部材もしくは中継部材に形成されたインク収容管の前端開口が挿入されるテーパ部と、前記テーパ部におけるインク収容管の外側に圧接する圧接面を有する締結リングとによる第４係止手段が備えられ、
前記インク収容管が前記第４係止手段によって筆記部材もしくは中継部材に結合されていることを特徴とする請求項１に記載の筆記具用インク収容部材。
【請求項８】
前記締結リングには、前記筆記部材もしくは中継部材側に形成された雄ねじに螺合する雌ねじが施されていることを特徴とする請求項７に記載の筆記具用インク収容部材。
【請求項９】
前記筆記部材もしくは筆記部材を支持する中継部材における前記インク収容管との接続部には、
筆記部材もしくは中継部材に形成されてインク収容管の前端部が挿入される筒状体と、前記筒状体の内底部に収容されてインク収容管の先端部に圧接するガータスプリング（環状スプリング）と、前記筒状体内に装着されて前記ガータスプリングを前記筒状体の内底部に位置させる押さえリングとによる第５係止手段が備えられ、
前記インク収容管が前記第５係止手段によって筆記部材もしくは中継部材に結合されていることを特徴とする請求項１に記載の筆記具用インク収容部材。
【請求項１０】
請求項１〜９のいずれか１項に記載の筆記具用インク収容部材を軸筒内に収容したことを特徴とする筆記具。
【請求項１１】
請求項１〜９のいずれか１項に記載の筆記具用インク収容部材における前記インク収容管が、把持部としての軸筒を構成していることを特徴とする筆記具。
【発明の詳細な説明】
【技術分野】
【０００１】
この発明は、ボールペンやマーキングペン等に用いられる筆記具用インク収容部材および筆記具に関する。
【背景技術】
【０００２】
例えばボールペンに用いられるインク収容管は、一般にインク収容管の一端部（前端部）が、筆記部材としてのボールペンチップもしくはボールペンチップを支持する中継部材に、圧入嵌合されて取り付けられている。
そして、インク収容管には、成形の容易性とインク量の視認性を確保するために、透明もしくは半透明の樹脂素材、例えばポリプロピレンが用いられている。
【０００３】
ところで、近年において海洋に流出するマイクロプラスチックの問題が注目されており、使い捨てを前提としたプラスチックの使用を控えるなど、地球環境問題に対する取り組みの機運が高まっている。
そこで、筆記具を構成する各部品についても、脱プラスチックに着目した提案がなされており、特許文献１には、生分解性樹脂により成形された収容管基体の内側に、他の樹脂層を一層または二層以上成形してなる多層構造のインク収容管を用いた筆記具用インク収容部材が開示されている。
これによると、生分解性樹脂により成形された収容管基体は、時間の経過と共に生分解されるので、廃棄処理量の小量化に貢献できると記載されている。
【０００４】
一方、紙を基材として、これにバリアー性を有する合成樹脂やアルミニウム等の金属を積層した複合材を用い、これをスパイラル成形してなる軸筒を備えた筆記具の提案もなされており、これは特許文献２に開示されている。
この筆記具に用いられる軸筒によると、耐水性やガスバリア性を向上させるために、軸筒の外面側から、裏面がクラフト紙からなるアルミ箔ラベル紙、およびライナー紙を二層重ねた後、さらに内面にポリエチレン層、次いでアルミ蒸着膜を外側に持つポリエステル膜を積層した構造を有している。
この軸筒によると、紙基材を含む複合材を用いることで、耐久性を維持しながら低公害化を達成し得る筆記具が提供できると言える。
【先行技術文献】
【特許文献】
【０００５】
【特許文献１】特開２００１−１４６０９０号公報
【特許文献２】特開昭６２−７００９７号公報
【発明の開示】
【発明が解決しようとする課題】
【０００６】
前記したように、生分解性樹脂や紙基材を用いた製品は低公害化に適しており、とりわけパルプまたは紙を含む素材を基材として用いれば、プラスチックの代替材料となり得る環境問題に配慮した製品を提供できると考えられる。
この発明は、前記した観点に沿ってなされたものであり、冒頭において記述したポリプロピレン等を用いて成形したインク収容管を、紙基材を含む材料に置き換えることにより、脱プラスチックを図ろうとするものである。
【０００７】
一方、前記した紙基材を含む複合材料は、従来から利用されているポリプロピレン等に比較すると、その素材が持つ機械的強度が脆弱である。したがって、これをインク収容管に適用するには、筆記部材もしくは筆記部材を支持する中継部材との接続部分において、一定の接続強度が確保できるように工夫を施すことが重要な課題となる。
【０００８】
したがって、この発明が解決しようとする主要な課題は、低公害化を実現することができる環境問題に配慮したインク収容管を用いた筆記具用インク収容部材を提供する点にある。また、この発明が解決しようとするさらなる課題は、筆記部材もしくは筆記部材を支持する中継部材に形成されたインク収容管に対する接続部について、一定の接続強度を確保し得るように構成することで、実用性の高い筆記具用インク収容部材およびこれを用いた筆記具を提供する点にある。
【課題を解決するための手段】
【０００９】
前記した課題を解決するためになされたこの発明に係る筆記具用インク収容部材は、紙を基材としてインク収容管を構成し、前記インク収容管の一端部を、筆記部材もしくは筆記部材を支持する中継部材に形成された接続部に結合させたことを特徴とする。
【００１０】
この場合、筆記部材もしくは筆記部材を支持する中継部材におけるインク収容管との接続部には、インク収容管に対する一定の接続強度を確保し得る係止手段が施されていることが望ましく、その一つとして、前記接続部には、外周面に沿って形成された雄ねじによる第１係止手段が備えられる。
また他の一つとして、前記接続部には、筆記部材の先端部側に向かって径を拡大するテーパ面と、前記テーパ面に続いて径を鋭角に縮小する立ち下がり部とを有する環状の係止部を、軸方向に沿って複数条形成した第２係止手段が備えられる。
【００１１】
また他の一つとして、前記接続部には、筆記部材の先端部側に向かって除々に立ち上がるテーパ面と、前記テーパ面に続いて鋭角に立ち下がる立ち下がり部とを有する多数の突起体を、周方向および軸方向に沿って互いに不連続に形成してなる第３係止手段が備えられる。
そして、前記したインク収容管との接続部には、当該接続部におけるインク収容管の外周面に沿って、リング状の補強部材が嵌め込まれた構成を好適に採用することができる。  また、前記したインク収容管との接続部には、当該接続部におけるインク収容管の外周面に沿って、軸に直交する方向の断面がＣ字状に成形された補強部材が嵌め込まれた構成を採用することもできる。
【００１２】
一方、インク収容管に対する一定の接続強度を確保し得る係止手段の他の一つとして、筆記部材もしくは中継部材に形成されたインク収容管の前端開口が挿入されるテーパ部と、前記テーパ部におけるインク収容管の外側に圧接する圧接面を有する締結リングとによる第４係止手段を利用することができる。
この場合、前記締結リングには、前記筆記部材もしくは中継部材側に形成された雄ねじに螺合する雌ねじが施されていることが望ましい。
【００１３】
さらに、係止手段の他の一つとして、筆記部材もしくは中継部材に形成されてインク収容管の前端部が挿入される筒状体と、前記筒状体の内底部に収容されてインク収容管の先端部に圧接するガータスプリング（環状スプリング）と、前記筒状体内に装着されて前記ガータスプリングを前記筒状体の内底部に位置させる押さえリングとによる第５係止手段を利用することもできる。
【００１４】
そして、この発明に係る筆記具は、前記した各係止手段を備えた筆記具用インク収容部材、さらに前記した補強部材を組み合わせてなる筆記具用インク収容部材を、軸筒内に収容することで構成される。
また、この発明に係る筆記具は、前記した各係止手段を備えた筆記具用インク収容部材、さらに前記した補強部材を組み合わせてなる筆記具用インク収容部材におけるインク収容管が、把持部としての軸筒を形成することで構成される。
【発明の効果】
【００１５】
この発明によると、インク収容管の管材料に紙基材を用いることにより、プラスチックの使用量を低減した環境に配慮した筆記具用インク収容部材を提供することができる。
さらに、筆記部材もしくは筆記部材を支持する中継部材には、インク収容管に対する前記した各係止手段を備えることで、一定の接続強度を確保した実用性に優れた筆記具用インク収容部材およびこれを用いた筆記具を提供することが可能となる。
【図面の簡単な説明】
【００１６】
【図１】この発明に係る筆記具用インク収容部材の第１実施例を示し、（Ａ）は正面図、（Ｂ）は中央断面図である。
【図２】筆記具用インク収容部材の第２実施例について、筆記部材側とインク収容管とが分離された外観構成を示し、（Ａ）は要部の斜視図、（Ｂ）は要部の正面図、（Ｃ）は要部の拡大断面図である。
【図３】筆記具用インク収容部材の第３実施例について、筆記部材側とインク収容管とが分離された外観構成を示し、（Ａ）は要部の斜視図、（Ｂ）は要部の正面図、（Ｃ）は要部の拡大断面図である。
【図４】筆記具用インク収容部材の第４実施例について、筆記部材側とインク収容管とが分離された外観構成を示し、（Ａ）は要部の斜視図、（Ｂ）は要部の正面図である。
【図５】筆記具用インク収容部材の第５実施例を示し、（Ａ）は補強部材の装着前の斜視図、（Ｂ）は要部の拡大斜視図、（Ｃ）は補強部材が装着された状態の要部の拡大斜視図である。
【図６】図５に示した筆記具用インク収容部材の要部の拡大断面図である。
【図７】筆記具用インク収容部材の第６実施例を示し、（Ａ）は補強部材の装着前の斜視図、（Ｂ）は要部の拡大斜視図、（Ｃ）は補強部材が装着された状態の要部の拡大斜視図である。
【図８】筆記具用インク収容部材の第７実施例を示し、（Ａ）は中央断面図、（Ｂ）は要部の拡大断面図である。
【図９】筆記具用インク収容部材の第８実施例について、筆記部材側とインク収容管とが分離された状態を示し、（Ａ）は正面図、（Ｂ）は中央断面図である。
【図１０】図９に示した筆記具用インク収容部材について、（Ａ）は筆記部材側とインク収容管とが分離された状態の要部の拡大断面図、（Ｂ）は筆記部材側にインク収容管が接続された状態の要部の拡大断面図である。
【図１１】この発明に係る第１実施例の筆記具の全体構成を示し、（Ａ）はクリップを上にした状態の正面図、（Ｂ）は中央断面図である。
【図１２】この発明に係る第２実施例の筆記具の全体構成を示し、（Ａ）はキャップを外した状態の斜視図、（Ｂ）は中央断面図である。
【図１３】この発明に係る第３実施例の筆記具の全体構成を示し、（Ａ）は斜視図、（Ｂ）は正面図、（Ｃ）は中央断面図である。
【発明を実施するための形態】
【００１７】
この発明に係る筆記具用インク収容部材およびこれを用いた筆記具について、図に示す実施例に基づいて順に説明する。なお以下に示す各図においては、それぞれ同一の機能を果たす部分を同一符号で示しており、したがって重複する説明は適宜省略する。
図１は筆記具用インク収容部材の第１実施例を示しており、この筆記具用インク収容部材１を構成する筆記部材として、先端部に筆記ボールを備えたボールペンチップ２が用いられている。
【００１８】
この第１実施例においては、ステンレスにより形成されたボールペンチップ２は、金属材料により形成された中継部材３に対して圧入により取り付けられており、中継部材３の後半部には径を細くしたインク収容管の接続部３ａが形成されている。そして、前記接続部３ａを覆うようにしてインク収容管５の前端部が、嵌合により結合されている。
なお、この第１実施例においては、インク収容管の接続部３ａは、ストレート状の円筒体により構成されている。したがって前記接続部３ａに、例えば粘着剤を予め塗布しておくことにより、嵌合により結合されたインク収容管５に対して一定の接続強度を持たせることができる。
【００１９】
この例に示すインク収容管５は、図１（Ｂ）に断面図で示したように三層構造を構成しており、インク（図示せず）と接触する内層５ｂと、中央の基層５ａおよび基層５ａを被覆する外層５ｃとにより構成されている。
中央の基層５ａは紙基材で構成され、内層５ｂは樹脂もしくはアルミニウム層によって構成されている。さらに外層５ｃは樹脂で構成されている。
基層５ａを構成する紙基材は、一層または多層構成の紙基材が用いられ、インク収容管５の成形に伴う屈曲耐性、落下衝撃吸収性、および端面の耐水性などに優れることが望ましい。
なお、前記紙基材は主としてパルプからなるシートであり、他に填料、各種助剤を含んでもよい。パルプとしては、化学パルプ、機械パルプ、非木材繊維等である。これらの素材を適宜配合して用いることが可能である。
【００２０】
内層５ｂを構成する樹脂は、加工し易く、水性および油性インクのいずれにも溶解しないもの、すなわち基層５ａまで浸透しないものであることが望ましい。
加えて、強度に優れ、取り扱いおよび入手容易などの点で、アクリル樹脂、ポリスチレン、フッ素樹脂、シリコーン、或いはこれらの併用およびポリ乳酸等の生分解性プラスチックが好ましい。なお、生分解性プラスチックは、インク収容管として必要な強度および寿命を付与し得るかぎり、環境に配慮した材料として好適である。
内層５ｂは、前記したとおりアルミニウム層で構成する場合もあり、これによると水性および油性インクのいずれにも溶解することなく、紙基材による基層５ａまでのインクの浸透を確実に阻止することができる。
【００２１】
外層５ｃを構成する樹脂は、内層５ｂを構成する樹脂と同様に、加工し易く、水性および油性インクのいずれにも溶解しないもの、すなわち基層５ａまで浸透しないものであれば良い。さらには外気中の水分を吸収しないものが好ましい。
外層５ｃを構成する樹脂としては、内層５ｂを構成する材料と同様の樹脂を挙げられる。内層５ｂを構成する樹脂と、外層５ｃを構成する樹脂とは、同一でも良いし、異なっていても良い。
【００２２】
図２は、筆記具用インク収容部材の第２実施例を示している。この例に示す筆記具用インク収容部材１においては、中継部材３に形成されたインク収容管の接続部３ａには、接続部３ａの外周面に沿って雄ねじ１１ａが形成され、この雄ねじ１１ａにより、第１係止手段１１が構成されている。
この第２実施例によると、中継部材３の接続部３ａに形成された雄ねじ１１ａに対して、インク収容管５の前端部をねじ込みながら結合させることができる。図２（Ｃ）は、インク収容管５の前端部を雄ねじ１１ａに対してねじ込むことで、インク収容管５を中継部材３の接続部３ａに結合させた状態を示している。
【００２３】
この第２実施例によると、図１に示した第１実施例の筆記具用インク収容部材に比較して、接続部３ａに対するインク収容管５の接続強度を、より高く確保することが可能となる。
なお、図２（Ｃ）に断面図で示したとおり、この第２実施例に示したインク収容管５についても、第１実施例と同様に三層構造が採用されている。
【００２４】
図３は、筆記具用インク収容部材の第３実施例を示している。この例に示す筆記具用インク収容部材１は、中継部材３に形成されたインク収容管の接続部３ａに対して、軸方向に沿って複数条（図示例では三条）の環状の係止部１２が形成されている。
すなわち、各環状の係止部１２は、ボールペンチップ２側に向かって径を拡大するテーパ面１２ａと、前記テーパ面１２ａに続いて径を鋭角に縮小する立ち下がり部１２ｂとが備えられている。そして、テーパ面１２ａと立ち下がり部１２ｂとを有する環状の係止部１２は、ボールペンチップ２の先端部側に向かうほど、その外径が順次大きくなるように形成されることで、第２係止手段（環状の係止部１２と同一の符号で示す。）が構成されている。
【００２５】
この第３実施例に示す第２係止手段１２によると、環状の係止部１２に形成されたテーパ面１２ａに向かって、インク収容管５の前端部を押し込むことで、インク収容管５の前端開口はテーパ面１２ａによって拡開されつつ、接続部３ａを覆って接続される。
図３（Ｃ）に示すように、インク収容管５の前端部が接続部３ａに接続された状態においては、環状の係止部１２に形成された径を鋭角に縮小する立ち下がり部１２ｂが、いわゆる釣り針のかえしと同様の作用を発揮して、接続部３ａからインク収容管５が外れるのを効果的に阻止するように作用する。
【００２６】
この第３実施例におけるインク収容管５は、五層構造が採用されている。すなわち図３（Ｃ）に示すように、管の内側から外側に向かって、内層５ｂ、第１基層５ａ１、樹脂層５ｄ、第２基層５ａ２、および外層５ｃを備える。
前記第１基層５ａ１および第２基層５ａ２は、いずれも図１に基づいて説明した中央の基層５ａと同様の紙基材で構成されている。また内層５ｂ、樹脂層５ｄ、および外層５ｃを構成する樹脂は、互いに同一でも異なっていても良い。互いに同一の材料を利用する場合には、図１に基づいて説明した内層５ｂと同様の樹脂を好適に利用することができる。  また、前記した五層構造のインク収容管５においては、内層５ｂのみをアルミニウム層とした構成も採用することができる。
【００２７】
図４は、筆記具用インク収容部材の第４実施例を示している。この例に示す筆記具用インク収容部材１は、中継部材３に形成されたインク収容管の接続部３ａに対して、周方向および軸方向に沿って、多数の突起体１３が互いに不連続に形成されることで第３係止手段（突起体１３と同一の符号で示す。）が構成されている。
そして、各突起体１３には、ボールペンチップ２側に向かって除々に立ち上がるテーパ面１３ａと、このテーパ面１３ａに続いて鋭角に立ち下がる立ち下がり部１３ｂとが備えられ、ボールペンチップ２の先端部側に向かうほど、各突起体１３の高さが高くなるように構成されている。
【００２８】
すなわち、前記各突起体１３は、図３に示したテーパ面１２ａと立ち下がり部１２ｂとを有する三条の環状係止部を、軸方向に沿って施された多数のスリットによって分断し、各突起体を形成したものと同様となる。
したがって、図４に示す接続部３ａ部分の断面図は、図３（Ｃ）に示した断面図とほぼ同一となる。
【００２９】
この第４実施例に示す第３係止手段１３においても、テーパ面１３ａと立ち下がり部１３ｂを有する多数の突起体１３が備えられており、したがってテーパ面１３ａに向かって、インク収容管５の前端部を押し込むことで、接続部３ａに対して、インク収容管５を比較的容易に装着することができる。また、インク収容管５が接続部３ａに接続された状態においては、立ち下がり部１３ｂの作用により、接続部３ａからインク収容管５が外れるのを阻止できることは、図３に示した例と同様である。
【００３０】
図５および図６は、筆記具用インク収容部材の第５実施例を示している。この例に示す筆記具用インク収容部材１は、図６に拡大断面図で示したように、ボールペンチップ２の後半部に径を細くした接続部２ａが形成されており、この接続部２ａを覆うようにして、インク収容管５が接続される。
そして、ボールペンチップ２の接続部２ａに接続されたインク収容管５の外周面に沿って、リング状に形成された補強部材１６が嵌め込まれている。
【００３１】
前記補強部材１６は、図５に示すようにボールペンチップ２の先端部側から装着され、接続部２ａに接続されたインク収容管５の外周面に沿って、インク収容管５の前端部を圧接するようにして装着される。これにより、ボールペンチップ２とインク収容管５との接続を確実に果たすことができる。
なお、図５に示すインク収容管５は、単層構造で示されているが、これは、すでに説明した三層または五層構造のインク収容管５が適宜採用される。
【００３２】
図６に示すボールペンチップ２の先端部には、周知の筆記ボール２ｂが装着されており、この実施例においては、ボールペンチップ２の内部空間内にスプリング２ｃが装着されている。そして、スプリング２ｃの先端部分は、真っ直ぐな棒状に形成されて押し棒２ｄを構成し、この押し棒２ｄによって筆記ボール２ｂを先端方向に押圧している。
なお、ボールペンチップ２の後端部の一部が内向きにかしめられており、このかしめ部２ｅにより前記スプリング２ｃの後端部を係止している。
【００３３】
図７は、筆記具用インク収容部材の第６実施例を示している。この例に示す筆記具用インク収容部材１は、図５および図６に示した例と同様に、ボールペンチップ２の後半部に径を細くして接続部２ａが形成されており、この接続部２ａを覆うようにして、インク収容管５が接続される。
そして、ボールペンチップ２の接続部２ａに接続されたインク収容管５の外周面に沿って、軸に直交する方向の断面がＣ字状に成形された補強部材１７が嵌め込まれている。
【００３４】
前記補強部材１７は、ボールペンチップ２の先端部側から装着され、接続部２ａに接続されたインク収容管５の外周面に沿って、インク収容管５の前端部を圧着するようにして装着される。
この補強部材１７は、軸に直交する方向の断面がＣ字状に成形されて、径が縮小するばね特性が持たされているので、ボールペンチップ２に対するインク収容管５の接続を確実に果たすことができる。
【００３５】
図８は、筆記具用インク収容部材の第７実施例を示している。この例に示す筆記具用インク収容部材１は、ボールペンチップ２を支持する中継部材３の後端部に、インク収容管５の前端開口が挿入されるテーパ部３ｂが形成されている。そして、テーパ部３ｂにおけるインク収容管５の外側に圧接する圧接面１８ａを有する締結リング１８が備えられて、第４係止手段１４が構成されている。
前記締結リング１８には、中継部材３側に形成された雄ねじ３ｃに螺合する雌ねじ１８ｂが施されている。そして、中継部材３側の雄ねじ３ｃに、締結リング１８側の雌ねじ１８ｂを締め付けることで、締結リング１８に形成された漏斗状の圧接面１８ａが、中継部材３のテーパ部３ｂに装着されたインク収容管５の前端部に外側から圧着する。
これにより、中継部材３に対してインク収容管５を確実に取り付けることができる。
【００３６】
なお、図８に示すインク収容管５は、単層構造で示されているが、これは、すでに説明した三層または五層構造のインク収容管５が適宜採用される。
また、図８（Ａ）に示す符号５ｅは、インク収容管５内のインク後端面と接触し、インクの消費にしたがって前進して追従する周知のインク逆流防止体（フォロア）を示している。
さらに、図８（Ｂ）に示す符号３ｄは、ボールペンチップ２が上向きとなるように保管した場合に、中継部材３に形成された軸孔に密着することで、ボールペンチップ２の先端から空気が流入するのを阻止する逆流防止ボールである。
【００３７】
図９および図１０は、筆記具用インク収容部材の第８実施例を示している。
この例に示す筆記具用インク収容部材１は、ボールペンチップ２を支持する中継部材３に、インク収容管５の前端部が挿入される筒状体３ｅが一体に形成されている。そして、筒状体３ｅの内底部に収容されてインク収容管５の先端部に圧接するガータスプリング（環状スプリング）１９と、筒状体３ｅ内に装着されて前記ガータスプリング１９を筒状体３ｅの内底部に位置させる押さえリング２０を備えてインク収容管５の第５係止手段１５が形成されている。
【００３８】
前記ガータスプリング１９は、コイルばねを環状に連結したものであり、コイルばねの一端部のコイル径が、先端部に向かって除々に小径となるように成形され、その先端の小径部をコイルばねの他端部に挿入することで、環状に連結することができる。
この実施例においては、ガータスプリング１９の内径が、インク収容管５の前端部の外径に対して小さく成形されており、このガータスプリング１９は中継部材３に形成された筒状体３ｅの内底部に収容され、さらに筒状体３ｅに挿入された押さえリング２０によって、前記内底部に位置するように構成されている。
【００３９】
したがって、インク収容管５の前端部を、押さえリング２０の開口に向かって挿入することで、ガータスプリング１９は押さえリング２０の先端部によって拡径され、図１０（Ｂ）に示すように押さえリング２０の先端部をガータスプリング１９によって把持させることができる。
そして、ガータスプリング１９は押さえリング２０によって、中継部材３に形成された筒状体３ｅの内底部に保持されるので、インク収容管５はガータスプリング１９を介して中継部材３に接続された状態が維持される。したがって、この第５係止手段１５によると、ガータスプリング１９が持つ耐久性に優れた嵌合作用を発揮させることが可能となる。
【００４０】
以上説明した筆記具用インク収容部材１において、図１〜図４および図８〜図１０に示す例は、ボールペンチップ２を支持する中継部材３に形成された接続部に、インク収容管５の前端部を結合させた状態を示している。しかし、これはボールペンチップ２に対して直接インク収容管５の前端部を結合させる構成を採用することもできる。
また、図５〜図７に示す例は、ボールペンチップ２に対して直接インク収容管５を結合させた状態を示しているが、これはボールペンチップ２を支持する中継部材３に形成された接続部にインク収容管５の前端部を結合させる構成を採用することができる。
【００４１】
また、以上説明した筆記具用インク収容部材１においては、インク収容管５として紙を基材として三層または五層構造になされた例を示したが、紙を基材として少なくとも内層に樹脂もしくはアルミニウム層を備えた二層構造以上のインク収容管を利用することで、プラスチックの使用量を低減させた環境に配慮した筆記具用インク収容部材を提供することに寄与できる。
【００４２】
図１１は、以上説明した筆記具用インク収容部材を用いた筆記具の第１実施例を示しており、この実施例は、例えば図１に示した複数本の筆記具用インク収容部材１を、軸筒内に収容した複式筆記具の例を示している。
この複式筆記具は、前軸２１および後軸２２により軸筒を構成しており、図１１（Ｂ）に断面図で示すように前軸２１の後部外周面に形成された雄ねじ２１ａが、後軸２２の前部内周面に形成された雌ねじ２２ａに螺合することで、前軸２１と後軸２２とが互いに軸方向に着脱可能に結合されている。
前軸２１は、その先端部が円錐形状に縮径して、先端口２３が開口されており、先端口２３よりインク収容部材１の筆記部材（ボールペンチップ）２が択一的に繰り出されるように構成されている。
【００４３】
また、後軸２２の後端部側には、それぞれ軸方向に沿って複数本（この例においては３本）のガイドスリット２４が形成されている。各ガイドスリット２４には、スライダー２５に形成された操作部２５ａが、前記後軸２２の外周面に突出して、それぞれ軸方向に摺動可能に配置されている。
【００４４】
ガイドスリット２４が形成された後軸２２内には、ガイドスリット２４の内側に位置するように内筒部材２７が収容されており、この内筒部材２７には前記したスライダー２５を前進状態に係止する係止面２７ａ等が形成されている。
また、内筒部材２７の後端部は細径に形成されて、前記後軸２２の後端部よりも若干突出しており、この内筒部材２７の突出部分を覆うようにして、クリップ２８を取り付けるキャップ部材２９が嵌合されて装着されている。
【００４５】
なお、キャップ部材２９には、クリップ２８の取り付け部２９ａが一体に形成されており、クリップ２８はこの取り付け部２９ａを貫通する軸体３０によって、キャップ部材２９に回動可能に取り付けられている。そして、キャップ部材２９とクリップ２８と間にはコイルスプリング３１が装着され、このコイルスプリング３１の付勢力によって、クリップ２８の先端部に形成されたクリップ玉２８ａが後軸２２の側面に軽く圧着するように構成されている。
【００４６】
一方、スライダー２５の前端部に形成されたインク収容部材装着部２５ｂが、インク収容部材１におけるインク収容管５の後端開口内に圧入されて取り付けられている。
そして、それぞれのインク収容管５とスライダー２５を取り巻くようにして戻しスプリング３２が配置されており、この戻しスプリング３２によって、各インク収容管５とスライダー２５は、軸筒内で後方に向かって付勢された状態で配置されている。
【００４７】
この状態で、いずれかのスライダー２５の前記操作部２５ａを前進移動させると、このスライダー２５の前記操作部２５ａは、前記内筒部材２７に形成された溝部に沿って前進移動して軸筒の軸芯方向に落ち込む。これにより、スライダー２５の後端係止部２５ｃが、前記内筒部材２７に形成された係止面２７ａに係止される。この時、前記スライダー２５に取り付けられたインク収容部材１は、それ自身の可撓性により適度に湾曲し、その先端部のボールペンチップ２が、先端口２３から繰り出された状態で保持される。
【００４８】
またこの状態で、他の第２スライダー２５を前進移動させると、この第２のスライダー２５に形成された係止解除カム２５ｄが、すでに前進状態で係止されている第１のスライダー２５の後端係止部２５ｃに当接し、第１のスライダー２５の後端係止部２５ｃを外側に押し出す。これにより、第１のスライダー２５の係止状態が解除される。
この結果、第１のスライダー２５は前記した戻しスプリング３２の作用により後退し、第２のスライダー２５の後端係止部２５ｃが、内筒部材２７に形成された係止面２７ａに係止され、先端口２３から繰り出されるボールペンチップ２の交換を行うことができる。
【００４９】
図１１に示した複式筆記具は、この発明に係る筆記具用インク収容部材を利用した一例であり、この発明に係る筆記具用インク収容部材は、図１１に示したような複式筆記具に用いることなく、インク収容部材の単品を軸筒内に収容したボールペン筆記具等に利用することもできる。
【００５０】
図１２は、この発明に係る筆記具の第２実施例を示しており、この第２実施例は、インク収容管が紙を基材として構成されると共に、インク収容管が筆記具の把持部としての軸筒を構成した点に特徴を有する。
図１２に示す筆記具は、アンダーラインマーカーと呼ばれる筆記具であり、これは幅広の筆記部材２を備えることにより、幅広の線引きを可能にしたものである。
【００５１】
この種のマーキングペンに用いられる先端の筆記部材２は、一般に合成樹脂繊維を棒状に集束したものや、高分子の焼結体などの多孔質部材が用いられる。そして、筆記具本体側のインク収容管５から供給されるインクが、筆記部材２に導出されて筆記可能になされる。また、蛍光インクをインク収容管５に収容したマーキングペンの普及にともない、幅広の線引きを可能にした多種多様のマーキングペンが提供されており、これにより使用者の用途に応じたマーキングペンの広い選択が可能となり、その作業性も快適なものとなっている。
【００５２】
図１２に示す筆記具においては、筆記具用インク収容部材１におけるインク収容管５が、把持部としての軸筒３１を兼ねて円筒状に形成されている。そして、このインク収容管５はすでに説明したとおり、紙を基材として構成され、好ましくは内層に樹脂もしくはアルミニウム層を備えた二層構造以上のインク収容管が用いられる。
なお、このインク収容管５は、例えば図１（Ｂ）に示した三層構造、さらに図３（Ｃ）に示した五層構造を適宜採用することもできる。
【００５３】
軸筒３１を兼ねるインク収容管５には、尾栓３１ａが装着されて尾端部が閉塞されており、このインク収容管５の前端部が、中継部材３の後半部に形成された接続部３ａに対して嵌合により接続される。そして、中継部材３を介してその先端部側に、筆記部材２が連結されている。
前記筆記部材２は、透明な平板状の支持部材２ｃの外周に沿って、ほぼＵ字状の多孔質部材が取り付けられることにより形成されている。そして、インク収容管５内にはインクが含浸されたインク吸蔵体３３が収容されており、インク吸蔵体３３からのインクは、筆記部材２を構成する前記した多孔質部材に供給される。これにより、筆記部材２によりライン等の筆記が可能となる。
なお、筆記部材２に透明な支持部材２ｃが用いられることにより、筆記部材２に窓状の可視部が形成されるので、この可視部を介して紙面に記載された文字等の視認が可能である。これにより筆記部材２によって、正確にライン等を引くことができる。
【００５４】
図１２に示す筆記具においては、筆記部材２を覆うキャップ３２が用意されており、このキャップ３２についても、好ましくは軸筒３１を兼ねるインク収容管５と同様に、紙を基材として構成される。そして、キャップ３２の天冠部分には、前記した尾栓３１ａと同様の素材により形成された封止栓３２ａが取り付けられて、キャップ３２が形成されている。前記キャップ３２は、筆記部材２を支持する中継部材３の前半部に装着されることで、筆記具本体側に対して着脱可能に取り付けられる。
【００５５】
図１３は、この発明に係る筆記具の第３実施例を示しており、これはボールペン筆記具に採用した例を示している。
この第３実施例についても、筆記具用インク収容部材１のインク収容管５が、紙を基材として構成されると共に、インク収容管５が把持部としての軸筒３１を構成している。
すなわち、この例に示すインク収容管５は、図１２に示す第２実施例の筆記具と同様に、外層が紙を基材として構成されており、好ましくは内層に樹脂もしくはアルミニウム層を備えた二層構造以上のインク収容管５が用いられる。
また、インク収容管５は、例えば図１（Ｂ）に示した三層構造、さらに図３（Ｃ）に示した五層構造を適宜採用することができる。
【００５６】
軸筒３１を兼ねるインク収容管５には、尾栓３１ａが装着されて尾端部が閉塞されており、このインク収容管５の前端部が中継部材３の後半部に形成された接続部３ａに嵌合されることにより取り付けられている。そして、中継部材３を介してその先端部側に、筆記部材２としてのボールペンチップが結合されている。
図１３の符号５ｅは、インク収容管５内のインク後端面と接触し、インクの消費にしたがって前進して追従するインク逆流防止体（フォロア）を示している。したがって、図示していないがインクは、フォロア５ｅと中継部材３との間のインク収容管５内に貯留されている。また、図１３の符号３１ｂは、軸筒３１に形成された空気孔を示している。
【００５７】
図１２に示した筆記具の第２実施例、図１３に示した筆記具の第３実施例においては、いずれも中継部材３におけるインク収容管の接続部３ａは、ストレート状の円筒体により構成されている。したがって前記接続部３ａに、例えば粘着剤を予め塗布しておくことにより、嵌合により結合された軸筒３１を兼ねるインク収容管５に対して一定の接続強度を持たせることができる。
さらに、この発明に係る筆記具においては、軸筒３１を兼ねるインク収容管５の前端部の取り付け強度を確保するために、図２〜図１０に基づいて説明した各種の係止手段および補強部材を適宜採用することができる。これにより、一定のインク収容管５の接続強度を確保した実用性に優れた筆記具を提供することが可能となる。
【符号の説明】
【００５８】
１      筆記具用インク収容部材
２      筆記部材
２ａ    接続部
２ｂ    筆記ボール
２ｃ    支持部材
３      中継部材
３ａ    接続部
３ｂ    テーパ部
３ｃ    雄ねじ
３ｅ    筒状体
５      インク収容管
５ａ    基層
５ａ１  第１基層
５ａ２  第２基層
５ｂ    内層
５ｃ    外層
５ｄ    樹脂層
１１    第１係止手段
１１ａ  雄ねじ
１２    第２係止手段（環状係止部）
１２ａ  テーパ面
１２ｂ  立ち下がり部
１３    第３係止手段（突起体）
１３ａ  テーパ面
１３ｂ  立ち下がり部
１４    第４係止手段
１５    第５係止手段
１６    リング状補強部材
１７    Ｃ字状補強部材
１８    締結リング
１８ａ  圧接面
１８ｂ  雌ねじ
１９    ガータスプリング
２０    押さえリング
２１    前軸（軸筒）
２２    後軸（軸筒）
２３    先端口
３１    軸筒
３２    キャップ
３３    インク吸蔵体
【図１】
2020172044.tif 000003
【図２】
2020172044.tif 000004
【図３】
2020172044.tif 000005
【図４】
2020172044.tif 000006
【図５】
2020172044.tif 000007
【図６】
2020172044.tif 000008
【図７】
2020172044.tif 000009
【図８】
2020172044.tif 000010
【図９】
2020172044.tif 000011
【図１０】
2020172044.tif 000012
【図１１】
2020172044.tif 000013
【図１２】
2020172044.tif 000014
【図１３】
2020172044.tif 000015